(57)【要約】【課題】操作時にユーザの指や手が表示画像の一部を隠すことがない、ユーザビリティの高い情報処理システムを提供する。【解決手段】タブレット端末と携帯端末との接続時、携帯端末は、該携帯端末に画像を表示するための表示データをタブレット端末へ送信して画像を表示させると共に、表示部による画像表示を停止してタッチパネルをタブレット端末で表示している画像のスクロール、ドラッグ、ズーム等を可能にするタッチパッドとして利用可能にする。【選択図】図１（ｂ）
2013125291.tif 000002
【特許請求の範囲】
【請求項１】
第１の表示部、前記第１の表示部上に設置される情報を入力するための第１のタッチパネル及び外部機器と情報の送受信を可能に接続するインタフェースを備えた携帯端末と、
前記携帯端末と情報の送受信を可能に接続する前記インタフェース、前記携帯端末よりも画面サイズが大きい第２の表示部及び前記第２の表示部上に設置される情報を入力するための第２のタッチパネルを備えたタブレット端末と、
を有し、
前記携帯端末は、
前記インタフェースを介した前記タブレット端末との接続時、前記第１の表示部による画像表示を停止し、前記第１の表示部に画像を表示するための表示データを前記タブレット端末へ送信し、前記タブレット端末に該表示データに基づく画像を表示させ、
前記第１のタッチパネルを用いたユーザによる入力操作を受け付けると、該操作内容にしたがって前記第２の表示部に表示させる画像を遷移させると共に、該遷移後の表示データを前記タブレット端末へ送信し、前記タブレット端末に該遷移後の表示データに基づく画像を表示させる情報処理システム。
【請求項２】
前記携帯端末は、
前記インタフェースを介した前記タブレット端末との接続時、前記第１の表示部を黒画面に設定する請求項１記載の情報処理システム。
【請求項３】
第１の表示部、前記第１の表示部上に設置される情報を入力するための第１のタッチパネル及び外部機器と情報の送受信を可能に接続するインタフェースを備えた携帯端末と、
前記携帯端末と情報の送受信を可能に接続する前記インタフェース、前記携帯端末よりも画面サイズが大きい第２の表示部及び前記第２の表示部上に設置される情報を入力するための第２のタッチパネルを備えたタブレット端末と、
を有し、
前記携帯端末は、
前記インタフェースを介した前記タブレット端末との接続時、前記第１の表示部による画像表示を維持しつつ、前記第１の表示部に画像を表示するための表示データを前記タブレット端末へ送信し、前記タブレット端末に該表示データに基づく画像を表示させ、
前記第１のタッチパネルを用いたユーザによる入力操作を受け付けると、該操作内容にしたがって前記第１の表示部に表示する画像を遷移させると共に、該遷移後の表示データを前記タブレット端末へ送信し、前記タブレット端末に該遷移後の表示データに基づく画像を表示させる情報処理システム。
【請求項４】
第１の表示部、前記第１の表示部上に設置される情報を入力するための第１のタッチパネル及び外部機器と情報の送受信を可能に接続するインタフェースを備えた携帯端末と、
前記携帯端末と情報の送受信を可能に接続する前記インタフェース、前記携帯端末よりも画面サイズが大きい第２の表示部及び前記第２の表示部上に設置される情報を入力するための第２のタッチパネルを備えたタブレット端末と、
を有する情報処理システムの情報入力方法であって、
前記携帯端末が、
前記インタフェースを介した前記タブレット端末との接続時、前記第１の表示部による画像表示を停止し、前記第１の表示部に画像を表示するための表示データを前記タブレット端末へ送信し、前記タブレット端末に該表示データに基づく画像を表示させ、
前記第１のタッチパネルを用いたユーザによる入力操作を受け付けると、該操作内容にしたがって前記第２の表示部に表示させる画像を遷移させると共に、該遷移後の表示データを前記タブレット端末へ送信し、前記タブレット端末に該遷移後の表示データに基づく画像を表示させる情報入力方法。
【請求項５】
前記携帯端末が、
前記インタフェースを介した前記タブレット端末との接続時、前記第１の表示部を黒画面に設定する請求項４記載の情報入力方法。
【請求項６】
第１の表示部、前記第１の表示部上に設置される情報を入力するための第１のタッチパネル及び外部機器と情報の送受信を可能に接続するインタフェースを備えた携帯端末と、
前記携帯端末と情報の送受信を可能に接続する前記インタフェース、前記携帯端末よりも画面サイズが大きい第２の表示部及び前記第２の表示部上に設置される情報を入力するための第２のタッチパネルを備えたタブレット端末と、
を有する情報処理システムの情報入力方法であって、
前記携帯端末が、
前記インタフェースを介した前記タブレット端末との接続時、前記第１の表示部による画像表示を維持しつつ、前記第１の表示部に画像を表示するための表示データを前記タブレット端末へ送信し、前記タブレット端末に該表示データに基づく画像を表示させ、
前記第１のタッチパネルを用いたユーザによる入力操作を受け付けると、該操作内容にしたがって前記第１の表示部に表示する画像を遷移させると共に、該遷移後の表示データを前記タブレット端末へ送信し、前記タブレット端末に該遷移後の表示データに基づく画像を表示させる情報入力方法。
【発明の詳細な説明】
【技術分野】
【０００１】
本発明は、携帯端末とタブレット型のパーソナルコンピュータ（以下、タブレット端末と称す）とを備えた情報処理システム及びその情報入力方法に関する。
【背景技術】
【０００２】
近年、電話機能と情報処理機能とを備えた、いわゆるスマートフォンと呼ばれる高機能な携帯端末が普及してきている。スマートフォンは、小型、軽量であり、携帯し易い利点があるが、例えばテレビジョン放送や動画像を視聴する等、より大きい画面を利用したい場合がある。
【０００３】
その場合、スマートフォンを、該スマートフォンよりも画面サイズが大きい、例えば据え置き型、ノート型、タブレット型等のパーソナルコンピュータ、あるいはテレビジョン受像機と接続し、スマートフォンの表示画像をそれらの外部装置の画面に表示させることが考えられる。
【０００４】
携帯端末の情報をより画面が大きい他の機器に表示することは、例えば特許文献１〜３にも記載されている。特許文献１では、携帯端末で表示する画像を外部表示デバイスに拡大表示させると共に、該携帯端末を入力デバイス（マウス）としても使用することが記載されている。特許文献２では、携帯端末をＢｌｕｅｔｏｏｔｈ（登録商標）等の周知の近距離無線インタフェースを介してコンピュータと接続することで、携帯端末の情報をコンピュータが備える表示装置に表示したり、コンピュータが備えるキーボードを用いて携帯端末へ情報を入力したりすることが記載されている。
【０００５】
また、特許文献３には、ノート型のパーソナルコンピュータに、携帯型のコンピュータ（例えばＰＤＡ（Personal Data AssistanceまたはPersonal Digital Assistants：個人向け携帯型情報通信機器））を接続することで、該携帯型のコンピュータの情報をノート型のパーソナルコンピュータに表示すると共に、該携帯型のコンピュータをノート型のパーソナルコンピュータの入出力装置として利用することが記載されている。
【先行技術文献】
【特許文献】
【０００６】
【特許文献１】特開２０１０−１６５２８９号公報
【特許文献２】特開２０１０−１８２００２号公報
【特許文献３】特開２００１−１４２５６３号公報
【発明の概要】
【発明が解決しようとする課題】
【０００７】
例えば上述したタブレット端末あるいはスマートフォンは表示部上にタッチパネルが設置され、該タッチパネルを用いた各種の情報や指示等が入力可能な構成が一般的である。
【０００８】
このようなタッチパネルを用いて情報や指示等を入力する構成では、指でタッチ操作を行う際、特にスクロール操作、ドラッグ操作、ズーム操作等では、操作時のユーザの手や指が表示された画像の一部を隠すことになるため、操作がうまくできない場合がある。上述した特許文献１〜３はタッチパネルが設置された機器に対する操作時の問題を想定した構成ではない。
【０００９】
本発明は上述したような背景技術が有する問題点を解決するためになされたものであり、操作時にユーザの指や手が表示画像の一部を隠すことがない、ユーザビリティの高い情報処理システム及びその情報入力方法を提供することを目的とする。
【課題を解決するための手段】
【００１０】
上記目的を達成するため本発明の情報処理システムは、第１の表示部、前記第１の表示部上に設置される情報を入力するための第１のタッチパネル及び外部機器と情報の送受信を可能に接続するインタフェースを備えた携帯端末と、
前記携帯端末と情報の送受信を可能に接続する前記インタフェース、前記携帯端末よりも画面サイズが大きい第２の表示部及び前記第２の表示部上に設置される情報を入力するための第２のタッチパネルを備えたタブレット端末と、
を有し、
前記携帯端末は、
前記インタフェースを介した前記タブレット端末との接続時、前記第１の表示部による画像表示を停止し、前記第１の表示部に画像を表示するための表示データを前記タブレット端末へ送信し、前記タブレット端末に該表示データに基づく画像を表示させ、
前記第１のタッチパネルを用いたユーザによる入力操作を受け付けると、該操作内容にしたがって前記第２の表示部に表示させる画像を遷移させると共に、該遷移後の表示データを前記タブレット端末へ送信し、前記タブレット端末に該遷移後の表示データに基づく画像を表示させる構成である。
【００１１】
または、第１の表示部、前記第１の表示部上に設置される情報を入力するための第１のタッチパネル及び外部機器と情報の送受信を可能に接続するインタフェースを備えた携帯端末と、
前記携帯端末と情報の送受信を可能に接続する前記インタフェース、前記携帯端末よりも画面サイズが大きい第２の表示部及び前記第２の表示部上に設置される情報を入力するための第２のタッチパネルを備えたタブレット端末と、
を有し、
前記携帯端末は、
前記インタフェースを介した前記タブレット端末との接続時、前記第１の表示部による画像表示を維持しつつ、前記第１の表示部に画像を表示するための表示データを前記タブレット端末へ送信し、前記タブレット端末に該表示データに基づく画像を表示させ、
前記第１のタッチパネルを用いたユーザによる入力操作を受け付けると、該操作内容にしたがって前記第１の表示部に表示する画像を遷移させると共に、該遷移後の表示データを前記タブレット端末へ送信し、前記タブレット端末に該遷移後の表示データに基づく画像を表示させる構成である。
【００１２】
一方、本発明の情報入力方法は、第１の表示部、前記第１の表示部上に設置される情報を入力するための第１のタッチパネル及び外部機器と情報の送受信を可能に接続するインタフェースを備えた携帯端末と、
前記携帯端末と情報の送受信を可能に接続する前記インタフェース、前記携帯端末よりも画面サイズが大きい第２の表示部及び前記第２の表示部上に設置される情報を入力するための第２のタッチパネルを備えたタブレット端末と、
を有する情報処理システムの情報入力方法であって、
前記携帯端末が、
前記インタフェースを介した前記タブレット端末との接続時、前記第１の表示部による画像表示を停止し、前記第１の表示部に画像を表示するための表示データを前記タブレット端末へ送信し、前記タブレット端末に該表示データに基づく画像を表示させ、
前記第１のタッチパネルを用いたユーザによる入力操作を受け付けると、該操作内容にしたがって前記第２の表示部に表示させる画像を遷移させると共に、該遷移後の表示データを前記タブレット端末へ送信し、前記タブレット端末に該遷移後の表示データに基づく画像を表示させる方法である。
【００１３】
または、第１の表示部、前記第１の表示部上に設置される情報を入力するための第１のタッチパネル及び外部機器と情報の送受信を可能に接続するインタフェースを備えた携帯端末と、
前記携帯端末と情報の送受信を可能に接続する前記インタフェース、前記携帯端末よりも画面サイズが大きい第２の表示部及び前記第２の表示部上に設置される情報を入力するための第２のタッチパネルを備えたタブレット端末と、
を有する情報処理システムの情報入力方法であって、
前記携帯端末が、
前記インタフェースを介した前記タブレット端末との接続時、前記第１の表示部による画像表示を維持しつつ、前記第１の表示部に画像を表示するための表示データを前記タブレット端末へ送信し、前記タブレット端末に該表示データに基づく画像を表示させ、
前記第１のタッチパネルを用いたユーザによる入力操作を受け付けると、該操作内容にしたがって前記第１の表示部に表示する画像を遷移させると共に、該遷移後の表示データを前記タブレット端末へ送信し、前記タブレット端末に該遷移後の表示データに基づく画像を表示させる方法である。
【発明の効果】
【００１４】
本発明によれば、操作時にユーザの指や手が表示画像の一部を隠すことがない、ユーザビリティの高い情報処理システムが得られる。
【図面の簡単な説明】
【００１５】
【図１（ａ）】本発明の情報処理システムの一構成例を示す平面図である。
【図１（ｂ）】本発明の情報処理システムの一構成例を示す平面図である。
【図２（ａ）】図１（ａ）及び（ｂ）に示した携帯端末の一構成例を示すブロック図である。
【図２（ｂ）】図１（ａ）及び（ｂ）に示したタブレット端末の一構成例を示すブロック図である。
【図３】図１（ａ）及び（ｂ）に示した情報処理システムの処理手順の一例を示すフローチャートである。
【図４】図１（ａ）及び（ｂ）に示した情報処理システムの処理手順の他の例を示すフローチャートである。
【図５】本発明の情報処理システムの他の構成例を示す平面図である。
【発明を実施するための形態】
【００１６】
次に本発明について図面を用いて説明する。
【００１７】
図１（ａ）及び（ｂ）は、本発明の情報処理システムの一構成例を示す平面図である。図１（ａ）は携帯端末とタブレット端末の接続前の様子を示し、図１（ｂ）は携帯端末とタブレット端末の接続後の様子を示している。
【００１８】
図１（ａ）に示すように、本実施形態の情報処理システムは、表示部（第１の表示部）及びタッチパネル（第１のタッチパネル）や入力キー等の入力部を備えた携帯端末１００と、携帯端末１００よりも画面サイズが大きい表示部（第２の表示部）及びタッチパネル（第２のタッチパネル）や入力キー等の入力部を備えたタブレット端末２００を有する。
【００１９】
携帯端末１００としては、例えば周知の電話機の機能とＰＤＡの機能をそれぞれ備えた、スマートフォンと呼ばれる携帯電話機がある。
【００２０】
図１（ａ）に示すように、タブレット端末２００は、携帯端末１００を挿抜可能に収納する収納部を備え、該収納部に携帯端末１００を図の矢印方向に挿入することで、該携帯端末１００との接続を可能にするインタフェースを備えた構成である。タブレット端末２００に対する携帯端末１００の収納時、携帯端末１００とタブレット端末２００とは該インタフェースを介して各種のデータが送受信可能になる。携帯端末１００とタブレット端末２００とを接続するインタフェースとしては、例えば映像や音声を送受信するためのＨＤＭＩ（High-Definition Multimedia Interface）や外部機器とデータを送受信するためのＵＳＢ（Universal Serial Bus）等の周知のインタフェース方式、あるいは専用のインタフェース回路がある。
【００２１】
図１（ｂ）は、図１（ａ）に示した携帯端末とタブレット端末とを一体化した様子を示す模式図である。
【００２２】
図１（ｂ）に示すように、本実施形態の情報処理システムは、携帯端末１００をタブレット端末２００の収納部に挿入することで、携帯端末１００とタブレット端末２００とが一体化された構成である。タブレット端末２００の収納部には、携帯端末１００の固定位置で表示面が露出するように切り欠きが設けられている。上述したように携帯端末１００の表示面には周知のタッチパネルが設置されている。本実施形態では、タブレット端末２００に対する携帯端末１００の収納時、この携帯端末１００のタッチパネルを、ユーザが各種の情報等を入力するための、例えばタッチパッド（入力装置）として用いる。タブレット端末２００には、上記タッチパネルが設置された表示部と共に、メニュー、ホーム、クリア等の各種の指示入力が可能なハードウェアによる入力ボタン３０１を備えている。
【００２３】
図１（ｂ）に示す情報処理システムは、タブレット端末２００の長辺と携帯端末１００の長辺とが同一方向を向くように、携帯端末１００がタブレット端末２００に収納されて固定される。そのため、携帯端末１００が備える加速度センサ（図２（ａ）参照）とタブレット端末２００が備える加速度センサ（図２（ｂ）参照）で検出されるそれぞれの機器の傾きは同一であり、携帯端末１００は、表示する画像を回転させることなくタブレット端末２００に表示させることができる。
【００２４】
ユーザは、図１（ｂ）に示す携帯端末１００上のタッチパネルを用いて、タブレット端末２００に表示された画像に対する、タップ、ドラッグ、フリック（表示画像のスクロール）、ズーム（表示画像の拡大、縮小）等の周知のタッチパッドとしての操作が可能になる。
【００２５】
図２（ａ）は、図１（ａ）及び（ｂ）に示した携帯端末の一構成例を示すブロック図である。
【００２６】
図２（ａ）に示すように、本実施形態の携帯端末１００は、ＣＰＵ１１０、ＲＯＭ１１１、作業用メモリ１１２、不揮発メモリ１１３、無線機送受信部１１４、ＬＥＤ部１１５、外部インタフェース部１１６、キー入力部１１７、キーバックライト１１８、表示制御部１１９、マイクロフォン１２１、スピーカ１２２、レシーバ１２３、近距離無線送受信部１２４、電源制御部１２５及び加速度センサ１２６を備え、それらがバス１３０を介して互いに接続された構成である。表示制御部１１９には表示部１２０が接続され、電源制御１２５には携帯端末１００に所要の電力を供給する主電源である二次電池（不図示）が接続され、外部インタフェース部１１６には図１（ａ）及び（ｂ）に示したタブレット端末２００が接続される。
【００２７】
ＲＯＭ（Read Only Memory）１１１は、ＣＰＵ１１０によって各種の処理を実行するための制御用プログラムが格納された不揮発性のメモリである。ＣＰＵ１１０は、ＲＯＭ１１１に格納された制御用プログラムにしたがって処理を実行することで、例えば周知のスマートフォンとしての機能を実現すると共に、本発明の情報処理システムが備える、後述する携帯端末１００の処理を実現する。ＲＯＭ１１１には、音声着信時等に用いられる各種メロディを鳴音するための固定音楽データ等も格納される。
【００２８】
作業用メモリ１１２は、ＣＰＵ１０による制御用プログラムにしたがった処理で必要なデータを一時的に保持する。作業用メモリ１１２には、例えばＲＡＭ（Random Access Memory）が用いられる。
【００２９】
不揮発メモリ１１３は、電話帳データ、各種設定値、ユーザーデータ等が格納される、記憶内容が書き換え可能な不揮発性のメモリである。
【００３０】
無線機送受信部１１４は、無線通信により音声や画像等の各種データを送受信するための周知の無線回路である。
【００３１】
ＬＥＤ部１１５は、例えば異なる色で発光する複数のＬＥＤ（Light Emitting Diode）を備え、各ＬＥＤの点滅パターン等を変更することで着信や電子メールの受信等をユーザへ通知するために用いられる電子部品である。
【００３２】
外部インタフェース部１１６は、ＵＳＢやＨＤＭＩ等に対応したコネクタを備え、各種の外部機器とデータの送受信が可能に接続するインタフェースである。外部インタフェース部１１６には、上述したように図１（ａ）及び（ｂ）に示したタブレット端末２００と接続するためのインタフェースも含む。
【００３３】
表示部１２０は、ＣＰＵ１１０から供給される画像情報や映像信号にしたがって画像を表示する、液晶ディスプレイや有機ＥＬパネル等である。表示部１２０の表示面上には、表示された画像に基づいて、文字、数字、記号等の情報を携帯端末１００に入力するためのタッチパネルが設置されている。
【００３４】
表示制御部１１９は、表示部１２０に画像や映像を表示させるための制御を行う制御回路である。
【００３５】
キー入力部１１７は、電源のＯＮ／ＯＦＦや各種設定に必要なハードウェアによる入力キー、あるいはタッチパネル等を用いてユーザが入力した、文字、数字、記号、指示等の情報を受け付ける入力回路である。
【００３６】
キーバックライト１１８は、入力キーの照光やイルミネーションを実現する発光部である。キーバックライト１１８は複数色の発光が可能である。
【００３７】
マイクロフォン１２１、スピーカ１２２、レシーバ１２３は、携帯端末１００を電話機として利用する際に使用される音声通話用の音響部品である。送話者の音声はマイクロフォン１２１により入力され、相手話者の音声はスピーカ１２２またはレシーバ１２３から出力される。
【００３８】
近距離無線送受信部１２４は、Ｂｌｕｅｔｏｏｔｈ（登録商標）等の周知の近距離無線インタフェースに対応した無線機器と無線通信によりデータを送受信するためのインタフェース回路である。
【００３９】
電源制御部１２５は、携帯端末１００に対する二次電池（不図示）からの電源供給を制御する。
【００４０】
加速度センサ１２６は、携帯端末１００の傾きや動きに応じた値を出力するセンサであり、表示画面の上下方向を決定するために使用される。加速度センサ１２６には、周知の機械式、光学式、半導体式のいずれのセンサを用いてもよい。
【００４１】
図２（ｂ）は、図１（ａ）及び（ｂ）に示したタブレット端末の一構成例を示すブロック図である。
【００４２】
図２（ｂ）に示すように、本実施形態のタブレット端末２００は、ＣＰＵ２１０、ＲＯＭ２１１、作業用メモリ２１２、不揮発メモリ２１３、外部インタフェース部２１４、キー入力部２１５、表示制御部２１６、スピーカ２１８、近距離無線送受信部２１９、電源制御部２２０及び加速度センサ２２１を備え、それらがバス２３０を介して互いに接続された構成である。表示制御部２１６には表示部２１７が接続され、電源制御部２２０にはタブレット端末２００に所要の電力を供給する主電源である二次電池（不図示）が接続され、外部インタフェース部２１４には、例えば図２（ａ）に示した携帯端末１００が接続される。
【００４３】
ＲＯＭ２１１は、ＣＰＵ２１０によって各種の処理を実行するための制御用プログラムが格納された不揮発性のメモリである。ＣＰＵ２１０は、ＲＯＭ２１１に格納された制御用プログラムにしたがって処理を実行することで、周知のタブレット端末としての機能を実現すると共に、後述する本発明の情報処理システムが備えるタブレット端末２００の処理を実現する。
【００４４】
作業用メモリ２１２は、ＣＰＵ２１０による制御用プログラムにしたがった処理で必要なデータを一時的に保持する。作業用メモリ２１２には、例えばＲＡＭが用いられる。
【００４５】
不揮発メモリ２１３は、各種設定値、ユーザーデータ等が格納される、記憶内容が書き換え可能な不揮発性のメモリである。
【００４６】
外部インタフェース部２１４は、外部機器と接続するためのＵＳＢや画像や音声等を送受信するＨＤＭＩ等に対応したコネクタを備え、様々な機器との接続を可能にする。タブレット端末２００は、図２に示した携帯端末１００と外部インタフェース部２１４を介して接続される。なお、外部インタフェース部２１４には、上述したように図２（ａ）に示した携帯端末１００と接続するための専用のインタフェース回路を備えていてもよい。
【００４７】
表示部２１７は、ＣＰＵ２１０から供給される画像情報や映像信号にしたがって画像を表示する、液晶ディスプレイや有機ＥＬパネル等である。表示部２１７の表示面上には、表示された画像に基づいて、文字、数字、記号等の情報をタブレット端末２００に入力するためのタッチパネルが設置されていてもよい。
【００４８】
表示制御部２１６は、表示部２１７に画像や映像を表示させるための制御を行う制御回路である。
【００４９】
キー入力部２１５は、電源のＯＮ／ＯＦＦや各種設定に必要なハードウェアによる入力キー、あるいはタッチパネル等を用いてユーザが入力した、文字、数字、記号、指示等の情報を受け付ける入力回路である。
【００５０】
近距離無線送受信部２１９は、Ｂｌｕｅｔｏｏｔｈ（登録商標）等の周知の近距離無線インタフェースに対応した無線機器と無線通信によりデータを送受信するためのインタフェース回路である。
【００５１】
電源制御部２２０は、タブレット端末２００に対する二次電池（不図示）からの電源供給を制御する。
【００５２】
加速度センサ２２１は、タブレット端末２００の傾きや動きに応じた値を出力するセンサであり、表示画面の上下方向を決定するために使用される。加速度センサ２２１には、周知の機械式、光学式、半導体式のいずれのセンサを用いてもよい。
【００５３】
図２（ｂ）は、電話機能を備えていないタブレット端末２００の構成例を示しているが、タブレット端末２００には、図２（ａ）に示した携帯端末１００と同様に無線機送受信部１１４、マイクロフォン１２１、レシーバ１２３等を有することで電話機能を備えていてもよい。
【００５４】
図３は、図１（ａ）及び（ｂ）に示した情報処理システムの処理手順の一例を示すフローチャートである。図３は、携帯端末１００とタブレット端末２００の接続時における、携帯端末１００の処理例を示している。
【００５５】
図３に示すように、携帯端末１００は、例えば待ち受け状態において、タブレット端末２００と接続されているか否かを判定する（ステップＳ１１）。タブレット端末２００が接続されていない場合はステップＳ１１の処理を繰り返す。
【００５６】
タブレット端末２００と接続されている場合、携帯端末１００は、タブレット端末２００へ自装置で表示すべき表示データを送信し、タブレット端末２００に該表示データによる画像を表示させる（ステップＳ１２）。このとき、タブレット端末２００には、例えば携帯端末１００の表示画像を拡大して表示させてもよい。
【００５７】
次に、携帯端末１００は、表示部１２０上のタッチパネルをタッチパッドとして利用できるように、表示部１２０による表示を停止する（ステップＳ１３）。このとき、携帯端末１００は表示部１２０全体を黒色で表示してもよい（黒画面に設定してもよい）。表示部１２０による表示を停止すれば、携帯端末１００の消費電力を低減できる。
【００５８】
続いて、携帯端末１００は、表示部１２０上のタッチパネルをタッチパッドとして使用するための、タッチパッド専用の動作モードに切り替える（ステップＳ１４）。タッチパッド専用の動作モード時、携帯端末１００は、表示部１２０に何も表示しないため、表示部１２０に表示されたアイコン画像へタッチする等の、ユーザによる表示対象への操作入力の受付を停止し、タップ、ドラッグ、フリック、ズーム等の周知のタッチパッドとしての入力操作のみ受け付ける。なお、携帯端末１００には、タブレット端末２００に表示されたアイコン等の画像に対するタッチ、ドラッグ、フリック、ズーム等を可能にする、例えば周知のタッチポインタを表示してもよく、該タッチポインタを用いたユーザによる指示入力を受け付けてもよい。
【００５９】
以降、携帯端末１００は、ユーザがタッチパネルをタッチパッドとして用いて入力操作すると、その操作内容にしたがってタブレット端末２００に表示させる画像を遷移させると共に、遷移後の画像の表示データをタブレット端末２００へ送信する（ステップＳ１５）。タブレット端末２００は該表示データにしたがって遷移後の画像を表示する。
【００６０】
次に、携帯端末１００は、ユーザによるタブレット端末２００からの切り離しが指示されたか否かを判定する（ステップＳ１６）。タブレット端末２００との切り離しが指示されていない場合、携帯端末１００はステップＳ１５からの処理を繰り返す。
【００６１】
タブレット端末２００との切り離しが指示された場合、携帯端末１００は、タブレット端末２００に対する表示データの送信を停止し（ステップＳ１７）、自装置単体による通常の動作モードへ移行して（ステップＳ１８）、表示部１２０に自装置で表示すべき画像を表示する。その後、ステップＳ１１の処理へ戻る。
【００６２】
図４は、図１（ａ）及び（ｂ）に示した情報処理システムの処理手順の他の例を示すフローチャートである。図４は、携帯端末１００とタブレット端末２００の接続時における、携帯端末１００の処理例を示している。
【００６３】
図３に示した処理手順では、携帯端末１００は、タブレット端末２００との接続を検出すると、表示部１２０による表示を停止する、または黒画面に設定する例を示した。図４に示す処理は、タブレット端末２００との接続後も携帯端末１００の画像表示を維持する例である。
【００６４】
図４に示すように、携帯端末１００は、例えば待ち受け状態において、タブレット端末２００と接続されているか否かを判定する（ステップＳ２１）。タブレット端末２００が接続されていない場合はステップＳ２１の処理を繰り返す。
【００６５】
タブレット端末２００と接続されている場合、携帯端末１００は、自装置の表示部１２０による画像表示を維持しつつ、タブレット端末２００にも自装置で表示する表示データを送信し、タブレット端末２００に該表示データによる画像を表示させる（ステップＳ２２）。このとき、携帯端末１００及びタブレット端末２００には同様の画像が表示される。タブレット端末２００には、携帯端末１００の表示画面を拡大して表示してもよい。
【００６６】
以降、携帯端末１００は、タッチパネルを用いたユーザによる入力操作を受け付けると、その操作内容にしたがって表示画像を遷移させると共に、該遷移後の表示データをタブレット端末２００へ送信する（ステップＳ２３）。このとき、タブレット端末２００には携帯端末１００と同様に遷移する画像が表示される。
【００６７】
なお、タブレット端末２００がタッチパネルを備えている場合、タブレット端末２００は、該タッチパネルを用いたユーザによる入力操作を受け付けると、その操作内容にしたがって表示画像を遷移させると共に、該表示データを携帯端末１００へ送信し、携帯端末１００にタブレット端末２００と同様の画像を表示させてもよい。このとき、ユーザの入力操作に対応する画像の遷移処理は、タブレット端末２００が実行して、その結果を携帯端末１００に表示させてもよく、携帯端末１００が実行して、その結果をタブレット端末２００に表示させてもよい。ユーザの入力操作を携帯端末１００が実行する場合、タブレット端末２００は、ユーザが操作した入力データを携帯端末１００へ送信し、携帯端末１００から返送される、該入力データに対応した遷移後の表示データにしたがって画像を表示すればよい。
【００６８】
次に、携帯端末１００は、ユーザによるタブレット端末２００からの切り離しが指示されたか否かを判定する（ステップＳ２４）。タブレット端末２００との切り離しが指示されていない場合は、ステップＳ２３からの処理を繰り返す。
【００６９】
タブレット端末２００との切り離しが指示された場合、携帯端末１００は、タブレット端末２００に対する表示データの送信を停止し（ステップＳ２５）、自装置単体による通常の動作モードに移行する（ステップＳ２６）。その後、ステップＳ２１の処理へ戻る。
【００７０】
なお、図１（ｂ）では、タブレット端末２００が携帯端末１００を収納することで携帯端末１００とタブレット端末２００とが一体化される構成例を示しているが、本発明は、携帯端末１００とタブレット端末２００とが互いにデータの送受信が可能に接続されていれば、どのような構成にも適用可能である。例えば図５に示すように携帯端末１００とタブレット端末２００とをケーブル４０１を用いて有線接続した構成にも適用可能であり、Ｂｌｕｅｔｏｏｔｈ（登録商標）等の周知の近距離無線インタフェースで無線接続した構成にも適用可能である。
【００７１】
但し、有線接続または無線接続された構成では、携帯端末１００がアプリケーションプログラム等にしたがって、加速度センサ１２６の出力値にしたがって表示画像を変更（横画面表示または縦画面表示）すると、タブレット端末２００の傾きに関係なく、横画面または縦画面が表示されてしまうことがある。したがって、携帯端末１００とタブレット端末２００とを有線接続または無線接続する場合、携帯端末１００は、タブレット端末２００の加速度センサの出力値に基づいて、横画面用または縦画面用の表示データをタブレット端末２００へ送信すればよい。タブレット端末２００の加速度センサの出力値は、携帯端末１００からタブレット端末２００へ要求することで取得してもよく、タブレット端末２００が携帯端末１００の接続を検出した時点で該携帯端末１００へ送信してもよい。なお、横画面とは、携帯端末１００やタブレット端末２００の長辺が水平方向を向いているときに表示する画面を指し、縦画面とは、携帯端末１００やタブレット端末２００の短辺が水平方向を向いているときに表示する画面を指す。
【００７２】
本実施形態の情報処理システムによれば、携帯端末１００とタブレット端末２００との接続時に、携帯端末１００の表示画像のデータをタブレット端末２００に送信して表示させると共に、携帯端末１００のタッチパネルをタッチパッドとして使用可能にすることで、例えばタブレット端末２００に表示された画像をスクロールさせる際に、ユーザは表示画像の一部を自身の手や指等で隠すことなく操作できる。したがって、操作時にユーザの指や手が表示画像の一部を隠すことがない、ユーザビリティの高い情報処理システムが得られる。
【符号の説明】
【００７３】
１００    携帯端末
１１０、２１０    ＣＰＵ
１１１、２１１    ＲＯＭ
１１２、２１２    作業用メモリ
１１３、２１３    不揮発メモリ
１１４    無線機送受信部
１１５    ＬＥＤ部
１１６、２１４    外部インタフェース部
１１７、２１５    キー入力部
１１８    キーバックライト
１１９、２１６    表示制御部
１２０、２１７    表示部
１２１    マイクロフォン
１２２、２１８    スピーカ
１２３    レシーバ
１２４、２１９    近距離無線送受信部
１２５、２２０    電源制御部
１２６、２２１    加速度センサ
１３０、２３０    バス
２００    タブレット端末
３０１    入力ボタン
４０１    ケーブル
【図１（ａ）】
2013125291.tif 000003
【図１（ｂ）】
2013125291.tif 000004
【図２（ａ）】
2013125291.tif 000005
【図２（ｂ）】
2013125291.tif 000006
【図３】
2013125291.tif 000007
【図４】
2013125291.tif 000008
【図５】
2013125291.tif 000009